(57)【要約】
【課題】　差し込み口と電気機器の対応関係等を表示でき、表示物を交換することにより外観を容易に変更でき、立体感と質感のある装飾性に富んだコンセントケースの提供。
【解決手段】　カバー体１１と台座１２を係合して成り、内部に回路ユニットを収納した座体１に複数対の差し込み口１４を形成し、カバー体１１の表面に嵌合部１３を形成し、嵌合部１３を透明蓋３で被覆し、嵌合部１３内に表示物２を配置する。
【選択図】　図２
0003099145.tif 000002
【実用新案登録請求の範囲】
【請求項１】
　回路ユニットを収納する座体と、表示物と、透明蓋とを備え、前記座体は、カバー体と台座とを係合して成り、前記座体に複数対の差し込み口を形成し、前記カバー体の表面に陥没した嵌合部を形成し、前記透明蓋は前記嵌合部を被覆し、前記嵌合部内の前記透明蓋で被覆される範囲に、前記表示物をその表示内容が前記透明蓋を介して視認できるよう配置したことを特徴とするコンセントケース。
【請求項２】
　前記嵌合部内に、前記回路ユニットへ電気的に接続された発光体を設置した請求項１に記載のコンセントケース。
【請求項３】
　前記嵌合部が前記差し込み口に隣り合って形成され、前記表示物の表示内容は複数の電気機器を表し、該表示内容によって表示される電気機器が、その表示位置に隣接する各差し込み口を介して給電される電気機器にそれぞれ対応している請求項１又は２に記載のコンセントケース。
【考案の詳細な説明】
【技術分野】
【０００１】
　複数の差し込み口を有する多穴コンセント用として好適なコンセントケースに関する。
【背景技術】
【０００２】
　多穴コンセントは、座体上に複数の差し込み口を形成すると共に、電源コードを介して電源に接続された回路ユニットを座体内部に収納して成り、座体上の複数の差し込み口が全て電源を得るようになっている。例えば、一般的な延長コンセントは、多穴コンセントの一種である。
　また、多穴コンセントとして、座体に電源プラグを設置し、この電源プラグを直接電源に差し込むことにより、座体上の各差し込み口が電源を得るものも知られている（特許文献１参照）。さらに、多穴コンセントには、二種類の異なる形態の差し込み口を備えたものもある（特許文献２参照）。
【０００３】
　どのようなタイプのものであれ、多穴コンセントは複数の差し込み口を有するので、各差し込み口にそれぞれプラグが差し込まれている場合、どのプラグがどの電気機器のものかの分別が難しく、ある電気機器のプラグを抜こうとして、別のプラグを抜いてしまい、電気機器への給電を誤ってストップさせてしまう状況が往々にして発生する。
　そこで、コンセントの固定座と上蓋との間に異なる色の判別片を設置し、該判別片に差し込み穴に対応する通孔を形成し、色によって電気機器を分別できるようにしたコンセントが提案されている（特許文献３参照）。
【０００４】
　しかし、このものは、次のような欠点がある。
　（１）色彩のみを分別の手段としているため、使用者が色と電気機器との対応関係を覚えておく必要があり、長期間使用している間に、各色にどの電気機器を接続してあるのか忘れやすい。
　（２）変圧器のプラグのように比較的大型のプラグを差し込むと、プラグが完全に判別片を覆い隠してしまい、使用者が判別片の色を見ることができなくなる虞がある。
【０００５】
　また、差し込み口の判別以外にも、多穴コンセントを販売したり記念品として送る際などに、座体上にステッカーなどを貼り付け、商標や、使用上の注意事項、製品の特徴、イベントの文字や図柄等を表示することが多いが、このようなステッカー類は、時間経過に伴う粘着性の低下や温度変化によって、剥がれ落ちてしまうことがある。一方、文字や図柄を印刷や烙印によって表示すると、剥がれ落ちることはないが、製造コストが大幅に上昇する。
【０００６】
【特許文献１】台湾特許第３８０７５９号明細書
【特許文献２】米国特許第６３９２１７１号明細書
【特許文献３】台湾特許第４２２４２３号明細書
【考案の開示】
【考案が解決しようとする課題】
【０００７】
　本考案が解決しようとする課題は、各種表示が剥離や摩耗を生じやすく、複数の差し込み口と電気機器との対応関係がはっきりしないため、電気機器の電源の入／切を誤る虞がある点である。
【課題を解決するための手段】
【０００８】
　本考案のコンセントケースは、上記課題を解決するために、回路ユニットを収納する座体と、表示物と、透明蓋とを備え、前記座体は、カバー体と台座とを係合して成り、前記座体に複数対の差し込み口を形成し、前記カバー体の表面に陥没した嵌合部を形成し、前記透明蓋は前記嵌合部を被覆し、前記嵌合部内の前記透明蓋で被覆される範囲に、前記表示物をその表示内容が前記透明蓋を介して視認できるよう配置してある。
　表示物の表示内容は、文字や図柄による説明、商標、装飾模様等であり、製造段階で予め表示されることもあり、使用者が表示することもある。
【０００９】
　夜間等の暗い状態でも、表示物の表示内容を確認できるように、前記嵌合部内に、前記回路ユニットへ電気的に接続された発光体を設置すると良い。
　前記嵌合部が前記差し込み口に隣り合って形成され、前記表示物の表示内容は複数の電気機器を表し、該表示内容によって表示される電気機器が、その表示位置に隣接する各差し込み口を介して給電される電気機器にそれぞれ対応することもある。
【考案の効果】
【００１０】
　請求項１に係る考案によれば、差し込み口に接続されている電気機器、文字や図柄による各種説明、使用方法、商標、装飾模様等を表示することができ、差し込み口に大型のプラグを差し込んでも表示内容が隠れてしまう虞が無く、しかも、表示内容が経年変化によって薄れたり汚損する心配もない。
　また、表示物を交換することにより、容易に外観を変更することができ、透明蓋で表示物を被覆することによって、立体感のある装飾効果が得られる。
【００１１】
　請求項２に係る考案によれば、暗い場所であっても、発光体の光によって表示物の表示内容をはっきり見ることができ、発光体の光による装飾効果も得られる。
　請求項３に係る考案によれば、差し込み口とそこから給電されている電気機器との対応関係が、表示物の表示内容によって一目でわかるので、電気機器への給電及びその停止を正確に行うことができる。
【考案を実施するための最良の形態】
【００１２】
　表示物を保護してその汚損や摩耗を防ぐという目的を、透明蓋で表示物を保護することによって達成した。
【実施例１】
【００１３】
　本考案のコンセントケースは、図１及び図２に示すように、座体１と、表示物２と、透明蓋３とを備える。
　座体１は、カバー体１１と台座１２とを係合して成り、その内部に回路ユニットが収納されている。
　カバー体１１の上面一側には、複数対の差し込み口１４が一列に並んで形成される。座体１内に収納された回路ユニットには、これらの差し込み口１４に臨んで、それぞれ電源端子が配置されている。
　また、座体１の他側寄りの側面には、各差し込み口１４に対応する電源端子への通電回路を開閉操作する複数のスイッチ１５が設置されている。
【００１４】
　カバー体１１の表面において、差し込み口１４の側方には、略長方形状の嵌合部１３が陥没して形成されている。
　嵌合部１３の一方の長辺両端部には、断面円形の軸受穴１３１が相対向するよう形成され、他方の長辺両端部には、それぞれ係止部１３２が形成されている。
【００１５】
　表示物２は、嵌合部１３とほぼ同じ形状・面積の紙片やアクリルシート等のプラスチックシートであり、その表面には複数の電気機器が図柄によって表示してある。また、表示物２は、嵌合部１３の内部に、表示内容を上にして嵌合される。
　なお、表示物２の表示内容である電気機器は、その表示位置に隣接する各差し込み口１４を介して給電される電気機器にそれぞれ対応するよう、使用者が適宜書き込んだり、シールを貼り付けるなどして表示することができる。
【００１６】
　透明蓋３は、嵌合部１３とほぼ同じ形状・面積に形成され、図１に示すように、その一方の長辺両端部には、断面円形の軸突起３１が突出している。そして、軸突起３１を座体１の軸受穴１３１へ挿入することにより、透明蓋３は、嵌合部１３に開閉自在に取り付けられる。
　また、図２に示すように、透明蓋３を閉じて、その他方の長辺両端部を座体１の係止部１３２で支持すると、透明蓋３が嵌合部１３を被覆し、嵌合部１３内に配置された表示物２の表示内容（電気機器の図柄）を、透明蓋３を通して視認できる。
【００１７】
　そして、表示物２に表示された電気機器と同じ電気機器のプラグ４，５を、その表示内容に対応する差し込み口１４に差し込むと、差し込み口１４及びスイッチ１５と電気機器との対応関係が、表示物２の表示内容から一目でわかるので、誤って電気機器に対する給電を停止してしまうことがない。
　また、表示物２は差し込み口１４の側方に配置されているので、変圧器のプラグ４のように比較的大きいプラグを差し込んだ場合でも、表示物２の表示内容が隠れてしまう心配がない。
【実施例２】
【００１８】
　図３に示すように、座体１Ａが比較的幅広い場合、カバー体１１Ａの上面中央部に嵌合部１３Ａを長手方向に沿って形成してある。また、カバー体１１Ａの上面において、嵌合部１３Ａを挟んだ一側に複数対の差し込み口１４が形成されると共に、他側に各差し込み口１４と対応するスイッチ１５が設置される。
　嵌合部１３Ａの一端はカバー体１１Ａの端縁（短辺）に達して開口しており、嵌合部１３Ａの両側縁（長辺）には、それぞれガイド溝１３１Ａが形成される。
【００１９】
　透明蓋３Ａの両側の長辺には、嵌合部１３Ａのガイド溝１３１Ａに摺動自在に係合される段部３１Ａが形成され、透明蓋３Ａの一方の短辺に沿って、下方に屈曲したストッパ３２Ａが形成される。
　嵌合部１３Ａ内に表示物２を設置した後、嵌合部１３Ａの開口した端部から、透明蓋３Ａの他方の短辺を差し込み、透明蓋３Ａの段部３１Ａをガイド溝１３１Ａに係合してスライドさせる。透明蓋３Ａのストッパ３２Ａがカバー体１１Ａに当接すると、嵌合部１３Ａが透明蓋３Ａで被覆され、嵌合部１３Ａ内に収納された表示物２の表示内容を、透明蓋３Ａを通して視認できる。
　その他の構成は実施例１とほぼ同様なので、詳細な説明は省略する。
【実施例３】
【００２０】
　座体１Ｂの巾が比較的狭い場合、図４に示すように、座体１Ｂの一側面に複数対の差し込み口１４を形成し、座体１Ｂの他側面に、それぞれ差し込み口１４と対応した複数のスイッチ１５を設置する。
　また、カバー体１１Ｂの上面に、その周囲部を除くほぼ全面に亘って嵌合部１３Ｂを形成すると共に、嵌合部１３Ｂの底面四隅部に位置決め穴１３１Ｂを設ける。
　透明蓋３Ｂの下面四隅部に、位置決め穴１３１Ｂへ挿入される位置決め突起３１Ｂをそれぞれ設ける。
　そして、嵌合部１３Ｂ内へ表示物２を設置し、その上から透明蓋３Ｂを被せて、透明蓋３Ｂの位置決め突起３１Ｂを座体１Ｂの位置決め穴１３１Ｂに差し込んで、透明蓋３Ｂを固定する。
　その他の構成は、実施例１及び実施例２とほぼ同様である。
【実施例４】
【００２１】
　図５に示すように、カバー体１１Ｃの上面一側には複数対の差し込み口１４が形成され、座体１Ｃの他側寄りの側面に、カバー体１１Ｃ及び台座１２Ｃに亘って、各差し込み口１４とそれぞれ対応する複数のスイッチ１５が設置される。
　また、カバー体１１Ｃの上面他側から連続して、カバー体１１Ｃ及び台座１２Ｃの側面（スイッチ１５が設置された側面）、さらに台座１２Ｃの下面に亘って嵌合部１３Ｃが形成される。そして、嵌合部１３Ｃの四隅部（カバー体１１Ｃ側の両端部及び台座１２Ｃ側の両端部）には、それぞれ挿入穴１３１Ｃが形成される。
【００２２】
　透明蓋３Ｃは、嵌合部１３Ｃを被覆するように断面コ字形に形成され、その四隅部には、嵌合部１３Ｃの挿入穴１３１Ｃに係脱可能に挿入される突出片３１Ｃが設けられる。
　また、透明蓋３Ｃの垂直面には、スイッチ１５の設置個所、大きさ、数に応じた複数のスイッチ用窓孔３２Ｃが形成される。
　そして、カバー体１１Ｃの上面において嵌合部１３Ｃの内部に表示物２を設置し、透明蓋３Ｃをその上から被せ、突出片３１Ｃを挿入穴１３１Ｃへ差し込んで、透明蓋３Ｃを固定すると共に、表示物２をカバー体１１Ｃの上面に保持する。また、スイッチ１５はそれぞれスイッチ用窓孔３２Ｃを通して透明蓋３Ｃの外側に露出させる。
　その他の構成は、実施例１乃至３とほぼ同様である。
【実施例５】
【００２３】
　図６に示すように、座体１Ｄを構成するカバー体１１Ｄの上面中央部に、長手方向に沿って嵌合部１３Ｄを形成し、カバー体１１Ｄの上面において、嵌合部１３Ｄを挟んだ一側に複数対の差し込み口１４を形成すると共に、他側に複数のスイッチ１５を設置してある。
　また、カバー体１１Ｄの上面四隅寄りには、位置決め穴１３１Ｄが嵌合部１３Ｄを囲むように形成されている。
　透明蓋３Ｄは、カバー体１１Ｄの上面のほぼ全面を被覆する大きさを有し、その下面の位置決め穴１３１Ｄと対応する位置には、それぞれ位置決め突起３３Ｄが設けられる。
　また、透明蓋３Ｄの差し込み口１４と対応する位置にはそれぞれ差し込み口用窓孔３１Ｄが形成されると共に、スイッチ１５と対応する位置にはスイッチ用窓孔３２Ｄが形成される。
【００２４】
　そして、嵌合部１３Ｄの底面に表示物２を載置した後、カバー体１１Ｄの上に透明蓋３Ｄを被せ、位置決め突起３３Ｄを位置決め穴１３１Ｄに挿入して透明蓋３Ｄを固定し、表示物２をその位置に保持する。
　また、カバー体１１Ｄの上面に設けられた差し込み口１４及びスイッチ１５は、それぞれ差し込み口用窓孔３１Ｄ及びスイッチ用窓孔３２Ｄを通して透明蓋３Ｄの外面に露出する。
　その他の構成は、実施例１乃至４とほぼ同様である。
【実施例６】
【００２５】
　図７に示すように、座体１Ｅの一側において、カバー体１１Ｅの上面に複数対の差し込み口１４が設けられ、座体１Ｅの他側の側面にそれぞれ差し込み口１４に対応する複数のスイッチ１５が設置される。
　カバー体１１Ｅの上面他側部及びこれに連続した側面上部に亘って、嵌合部１３Ｅが陥没して形成される。また、嵌合部１３Ｅの下端両側及び奥端両側には、それぞれ挿入穴１３３Ｅが設けられる。
　さらに、カバー体１１Ｅの上面において嵌合部１３Ｅの底面には、各差し込み口１４の境界部に相当する位置に分割線１３１Ｅが設けられ、嵌合部１３Ｅは分割線１３１Ｅによって差し込み口１４にそれぞれ対応した複数の区画１３２Ｅに区分けされている。また、嵌合部１３Ｅの奥端面には、回路ユニットへ電気的に接続されたランプ６等の発光体が各区画１３２Ｅに対応してそれぞれ設置されている。
【００２６】
　表示物２Ａは、各区画１３２Ｅの大きさに応じたものを複数枚設け、各区画１３２Ｅの底面にそれぞれ表示物２Ａを設置する。
　透明蓋３Ｅは、嵌合部１３Ｅの形状に合うよう断面Ｌ字形に形成され、嵌合部１３Ｅの挿入穴１３３Ｅと対応する位置には、それぞれ突出片３１Ｅが設けられる。
　嵌合部１３Ｅの各区画１３２Ｅにそれぞれ表示物２Ａを設置してから、嵌合部１３Ｅに透明蓋３Ｅを被せ、突出片３１Ｅを挿入穴１３３Ｅに差し込んで固定する。
　すると、嵌合部１３Ｅの底面と透明蓋３Ｅとで挟まれた表示物２Ａは、ランプ６で照らされるので、夜間等でも表示物２Ａの表示内容をはっきり見ることができる。
　その他の構成は、実施例１乃至５とほぼ同様である。
【産業上の利用可能性】
【００２７】
　表示物の表示内容である電気機器は、図柄だけでなく文字によって表示することもできる。また、表示物には、差し込み口と対応する電気機器以外に、文字や図柄によって注意事項や使用方法等の説明、商標、装飾模様等を表示することも可能である。
　さらに、実施例１乃至実施例５と同じ構造の嵌合部に、実施例６のようにランプ等の発光体を設置しても良い。
　また、複数の発光体を、異なる方向から表示物を照らすように配置することもできる。
【図面の簡単な説明】
【００２８】
【図１】実施例１を示すコンセントケースの分解斜視図。
【図２】実施例１を示すコンセントケースの使用時の斜視図。
【図３】実施例２を示すコンセントケースの分解斜視図。
【図４】実施例３を示すコンセントケースの分解斜視図。
【図５】実施例４を示すコンセントケースの分解斜視図。
【図６】実施例５を示すコンセントケースの分解斜視図。
【図７】実施例６を示すコンセントケースの分解斜視図。
【符号の説明】
【００２９】
　１，１Ａ，１Ｂ，１Ｃ，１Ｄ，１Ｅ　座体
　１１，１１Ａ，１１Ｂ，１１Ｃ，１１Ｄ，１１Ｅ　カバー体
　１２，１２Ｃ　台座
　１３，１３Ａ，１３Ｂ，１３Ｃ，１３Ｄ，１３Ｅ　嵌合部
　１３１　軸受穴
　１３１Ａ　ガイド溝
　１３１Ｂ，１３１Ｄ　位置決め穴
　１３１Ｃ，１３３Ｅ　挿入穴
　１３１Ｅ　分割線
　１３２　係止部
　１３２Ｅ　区画
　１４　差し込み口
　１５　スイッチ
　２，２Ａ　表示物
　３，３Ａ，３Ｂ，３Ｃ，３Ｄ，３Ｅ　透明蓋
　３１　軸突起
　３１Ａ　段部
　３１Ｂ，３３Ｄ　位置決め突起
　３１Ｃ，３１Ｅ　突出片
　３１Ｄ　差し込み口用窓孔
　３２Ａ　ストッパ
　３２Ｃ，３２Ｄ　スイッチ用窓孔
　４，５　プラグ
　６　ランプ
【図１】
0003099145.tif 000003
【図２】
0003099145.tif 000004
【図３】
0003099145.tif 000005
【図４】
0003099145.tif 000006
【図５】
0003099145.tif 000007
【図６】
0003099145.tif 000008
【図７】
0003099145.tif 000009